(57)【要約】      （修正有）【課題】仕様の異なる電話機を接続可能とし、ユーザの選択肢が増えて自由度が増し、使い勝手を向上させることができる画像通信装置を提供する。【解決手段】ＩＰ電話による音声通信およびＩＴＵ−Ｔ勧告のＴ．３８によるＩＰ−ＦＡＸ通信を行う画像通信装置１０１において、ＳＬＩＣ８を含む電話制御装置２２またはＰＣＭ回路２０を含む電話制御装置２３に接続可能なインターフェースコネクタ３８と、インターフェースコネクタ３８を介してＳＬＩＣ８に接続される電話機１２の通話動作を制御し、またインターフェースコネクタ３８を介してＰＣＭ回路２０に接続されるハンドセット２１の通話動作を制御するコントローラ２を備える。【選択図】図１
2015207980.tif 000002
【特許請求の範囲】
【請求項１】
ＩＰ（Ｉｎｔｅｒｎｅｔ  Ｐｒｏｔｏｃｏｌ）電話による音声通信およびＩＴＵ−Ｔ勧告のＴ．３８によるＩＰ−ＦＡＸ通信を行う画像通信装置において、
ＳＬＩＣ（Ｓｕｂｓｃｒｉｂｅｒ  Ｌｉｎｅ  Ｉｎｔｅｒｆａｃｅ  Ｃｉｒｃｕｉｔ）またはＰＣＭ（Ｐｕｌｓｅ  Ｃｏｄｅ  Ｍｏｄｕｌａｔｉｏｎ）回路に接続可能なインターフェースと、
前記インターフェースを介して前記ＳＬＩＣに接続される電話機の通話動作を制御し、また前記インターフェースを介して前記ＰＣＭ回路に接続されるハンドセットの通話動作を制御する制御手段とを備えることを特徴とする画像通信装置。
【請求項２】
前記インターフェースを介して前記ＳＬＩＣに接続される電話機および前記インターフェースを介して前記ＰＣＭ回路に接続されるハンドセットの種別を判定する判定手段をさらに備え、
前記制御手段は、前記判定手段による判定結果に応じて前記電話機または前記ハンドセットの通話動作を制御することを特徴とする請求項１に記載の画像通信装置。
【請求項３】
ＩＰ（Ｉｎｔｅｒｎｅｔ  Ｐｒｏｔｏｃｏｌ）電話による音声通信およびＩＴＵ−Ｔ勧告のＴ．３８によるＩＰ−ＦＡＸ通信を行う画像通信装置において、
ＳＬＩＣ（Ｓｕｂｓｃｒｉｂｅｒ  Ｌｉｎｅ  Ｉｎｔｅｒｆａｃｅ  Ｃｉｒｃｕｉｔ）に接続された電話機と、
ＰＣＭ（Ｐｕｌｓｅ  Ｃｏｄｅ  Ｍｏｄｕｌａｔｉｏｎ）回路に接続可能なインターフェースと、
前記ＳＬＩＣに接続される電話機の通話動作を制御し、また前記インターフェースを介して前記ＰＣＭ回路に接続されたハンドセットの通話動作を制御する制御手段とを備えることを特徴とする画像通信装置。
【発明の詳細な説明】
【技術分野】
【０００１】
本発明は、画像通信装置に関し、特に、ＩＰ−ＦＡＸ機能を搭載した画像通信装置と電話機またはハンドセットとの間に接続する画像通信装置に関する。
【背景技術】
【０００２】
近年、ＩＰ（Ｉｎｔｅｒｎｅｔ  Ｐｒｏｔｏｃｏｌ）電話による音声通信やＩＴＵ−Ｔ勧告のＴ．３８によるＩＰ−ＦＡＸ通信で画像通信を行う次世代ネットワーク（ＮＧＮ：Ｎｅｘｔ  Ｇｅｎｅｒａｔｉｏｎ  Ｎｅｔｗｏｒｋ）が普及している。ＮＧＮは、ネットワーク自体に帯域保証機能、セキュリティ機能を備え、電話サービス、映像通信サービス、データ通信サービス等を統合的に実現するＩＰネットワークである。
【０００３】
また、ＮＧＮ上あるいはＬＡＮ上の通信機器間には、仮想的なセッションが確立され、セッションが確立されている間にサービスを提供するＳＩＰ（Ｓｅｓｓｉｏｎ  Ｉｎｉｔｉａｔｉｏｎ  Ｐｒｏｔｏｃｏｌ）が普及し、利用されている。このＳＩＰによりセッションが確立した通信機器間において、ＩＰやＶＯＩＰ（Ｖｏｉｃｅ  Ｏｖｅｒ  ＩＰ）等のプロトコルを用いて音声通信（通話）あるいは画像通信を行ったり、これらを同時に行う等の様々な形態のサービスが提供されている。
【０００４】
このようなネットワーク環境において、画像通信装置に接続して使用される電話機には、複数種類の画像通信装置に応じて仕様が異なる電話機や、特定の画像通信装置との接続を目的として制御仕様が同一化された電話機がある。これらの電話機は、一般的にモジュラーコネクタＲＪ１１＿６−２タイプやＲＪ１１＿４−２タイプを備える。例えば、モジュラーコネクタＲＪ１１＿６−２タイプで接続する電話機は、公衆回線網に接続して使用される。一方、モジュラーコネクタＲＪ１１＿４−２タイプで接続する電話機には、マイクとスピーカのみが内蔵されたハンドセットがある。
【０００５】
特許文献１では、複数の通信回線と接続可能な装置において、通信回線の名称を適切に表示し、オペレータが容易に通信回線を識別することができる装置が開示されている。
【先行技術文献】
【特許文献】
【０００６】
【特許文献１】特許第３８０５２１７号公報
【発明の概要】
【発明が解決しようとする課題】
【０００７】
一般の電話機は、公衆回線網（ＰＳＴＮ）に接続して使用されることから、画像通信装置を介してネットワークに接続した場合でも、公衆回線網に接続した場合と同様の制御が行われる。すなわち、電話機に直流が印加され、オフフック検知が行われる。呼出音には、公衆回線網と同等の呼出信号を生成して印加する必要がある。また、送話時には、音声信号をデジタル化してＶｏＩＰパケットでネットワーク上に送出している。受話時には、音声信号をＤＡ変換し、直流電圧に重畳して電話機に伝えている。
【０００８】
一方、上述したハンドセットは、画像通信装置を介してネットワークに接続した場合、画像通信装置側のコントローラに内蔵された電話機用のＤＡ／ＡＤ変換機能を用いて通話制御が行われる。
【０００９】
このように、一般の電話機やハンドセットは、画像通信装置への接続や制御方法が異なるため、置き換えや交換が容易にできないという問題がある。
【００１０】
本発明は、上記問題に鑑みて成されたものであり、仕様の異なる電話機を接続可能としたことでユーザの選択肢が増えて自由度が増し、使い勝手を向上させることができる画像通信装置を提供する。
【課題を解決するための手段】
【００１１】
上記目的を達成するために、本発明の画像通信装置は、ＩＰ（Ｉｎｔｅｒｎｅｔ  Ｐｒｏｔｏｃｏｌ）電話による音声通信およびＩＴＵ−Ｔ勧告のＴ．３８によるＩＰ−ＦＡＸ通信を行う画像通信装置において、ＳＬＩＣ（Ｓｕｂｓｃｒｉｂｅｒ  Ｌｉｎｅ  Ｉｎｔｅｒｆａｃｅ  Ｃｉｒｃｕｉｔ）またはＰＣＭ（Ｐｕｌｓｅ  Ｃｏｄｅ  Ｍｏｄｕｌａｔｉｏｎ）回路に接続可能なインターフェースと、前記インターフェースを介して前記ＳＬＩＣに接続される電話機の通話動作を制御し、また前記インターフェースを介して前記ＰＣＭ回路に接続されるハンドセットの通話動作を制御する制御手段とを備えることを特徴とする。
【発明の効果】
【００１２】
本発明によれば、仕様の異なる電話機を接続可能としたことでユーザの選択肢が増えて自由度が増し、使い勝手を向上させることができる。
【図面の簡単な説明】
【００１３】
【図１】本発明の第１の実施形態に係る画像通信装置と電話制御装置の概略構成を示すブロック図であり、（ａ）一般の電話機に接続する形態、（ｂ）ハンドセットに接続する形態を示す。
【図２】図１におけるコントローラ２の概略構成を示すブロック図である。
【図３】（ａ）電話制御装置２３の詳細な構成を示すブロック図、（ｂ）ＳＬＩＣ８の概略構成を示すブロック図である。
【図４】（ａ）電話制御装置２３の詳細な構成を示すブロック図、（ｂ）ＰＣＭ回路２０の概略構成を示すブロック図である。
【図５】電話制御装置２２または電話制御装置２３が接続されたときの画像通信装置１０１の通話制御処理の流れを示すフローチャートである。
【図６】本発明の第２の実施形態に係る画像通信装置の概略構成を示すブロック図である。
【図７】本発明の第２の実施形態における画像通信装置１０２の通話制御処理の流れを示すフローチャートである。
【発明を実施するための形態】
【００１４】
以下、本発明の実施の形態を図面を参照して詳細に説明する。
【００１５】
［第１の実施形態］
図１（ａ）及び図１（ｂ）は、本発明の第１の実施形態に係る画像通信装置と電話制御装置の概略構成を示すブロック図である。
【００１６】
まず、電話制御装置に接続される画像通信装置１０１について説明する。
【００１７】
画像通信装置１０１は、コントローラ２と、ブリッジ回路５と、ハードモデム９と、スキャナ部２０４と、プリンタ部２１４と、インターフェースコネクタ３８とを備える。画像通信装置１０１は、ＩＰ（Ｉｎｔｅｒｎｅｔ  Ｐｒｏｔｏｃｏｌ）電話による音声通信およびＩＴＵ−Ｔ勧告のＴ．３８によるＩＰ−ＦＡＸ通信を行うことができる。
【００１８】
コントローラ２は、画像通信装置１０１の全体の制御を行う制御部であり、画像通信装置１０１におけるデータの送受信、画像読み取り、画像プリント、操作入力などの制御を行う。コントローラ２は、スキャナ部２０４、プリンタ部２１４、ブリッジ回路５、およびイントラネットやインターネット、ＮＧＮ網等の回線１１０に接続されている。
【００１９】
ブリッジ回路５は、コントローラ２とデータ線６を介してインターフェースコネクタ３８に接続された電話制御装置やデータ線７を介して接続されたハードモデム９とのシリアルデータの送受信のタイミングを生成する調整回路である。ブリッジ回路５とコントローラ２との通信は、データ線３０１，３０２を介して、双方のＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）により行われる。
【００２０】
ハードモデム９は、ＦＡＸ用のＧ３モデムであって、ＶｏＩＰでのＧ３通信の制御を行う。スキャナ部２０４は、画像読み取り機構を有する画像読取部である。プリンタ部２１４は、電子写真方式、インクジェット方式など任意の記録方式により構成された印刷部である。
【００２１】
インターフェースコネクタ３８は、後述する電話制御装置を接続可能にするコネクタであり、ユーザが挿入しやすい構成を有する。
【００２２】
図１（ａ）において、電話制御装置２２は、ＳＬＩＣ（Ｓｕｂｓｃｒｉｂｅｒ  Ｌｉｎｅ  Ｉｎｔｅｒｆａｃｅ  Ｃｉｒｃｕｉｔ）８とＣＩ電源３５とモジュラーコネクタ３６を備える。
【００２３】
ＳＬＩＣ８は、モジュラーコネクタ３６を介して電話機１２に接続し、呼出信号の生成、オフフック検知、電話機１２を通じて送話受話信号のＡ／Ｄ、Ｄ／Ａ変換を行うＣＯＤＥＣ機能を備える。ＳＬＩＣ８は、画像通信装置１０１内のコントローラ２によって制御される。また、ＳＬＩＣ８はＣＩ電源３５から電源供給を受ける。
【００２４】
電話機１２は、公衆回線網（ＰＢＸ）に接続して使用可能な一般電話機である。
【００２５】
ＳＬＩＣ８と電話機１２はモジュラーコネクタ３６で接続される。モジュラーコネクタ３６はＲＪ１１＿６−２の２ピンモジュラーである。
【００２６】
図１（ｂ）において、電話制御装置２３は、ＰＣＭ（Ｐｕｌｓｅ  Ｃｏｄｅ  Ｍｏｄｕｌａｔｉｏｎ）回路２０とモジュラーコネクタ３７を備える。
【００２７】
ＰＣＭ回路２０は、モジュラーコネクタ３７を介してハンドセット２１と接続し、送話受話信号のＡ／Ｄ、Ｄ／Ａ変換を行うＣＯＤＥＣ機能と音声信号のアンプ機能を備える。
【００２８】
モジュラーコネクタ３７は、ＲＪ１１＿４−４の４ピンモジュラーである。
【００２９】
なお、画像通信装置１０１にインターフェースコネクタ３８を複数設け、電話制御装置２２と電話制御装置２３を接続可能に構成してもよい。
【００３０】
図２は、図１におけるコントローラ２の概略構成を示すブロック図である。
【００３１】
図２において、ＣＰＵ２０１は、ＲＯＭ２０２に格納されたプログラムを実行して図示の各部を制御すると共に、画像通信装置全体の制御を行う。また、ＣＰＵ２０１は、ＴＣＰ／ＩＰプロトコル処理を行ない、画像データのＴＣＰ／ＩＰフレームへの組み立てを行う。画像データの受信時には、符号化されている画像データを復号化する。ＲＡＭ２０３は、プログラム実行時のワークメモリとして使用されると共に、送受信する画像データのバッファリングにも使用される。
【００３２】
Ｐ／Ｓ＿Ｄｅｖｉｃｅ２０７は、図１に示すブリッジ回路５と接続するインターフェースであり、２チャンネルのＵＡＲＴ（不図示）を備える。
【００３３】
ＣＯＤＥＣ２１０は、音声信号またはみなし音声として送受信されるファクシミリ信号のためのＶｏＩＰ方式の符号化／復号化方式をサポートする。さらに、ＣＯＤＥＣ２１０は、ＩＴＵ−Ｔ勧告のＴ．３８によるインターネットファクシミリ信号（特にトーン信号）を送受信するために必要な符号化／復号化方式を少なくともサポートする。
【００３４】
スピーカ２２１は、ＡＭＰ２２０で増幅された音声等を出力する。
【００３５】
スキャナ制御部２０５は、スキャナ部２０４を制御するものであり、原稿から読み取ったアナログ画像データをデジタル画像データに変換して、ＨＤＤ２１７等に保存する。
【００３６】
プリンタ制御部２１５は、プリンタ部２１４を制御するものであり、ＨＤＤ２１７に保存されて画像データや受信した画像データを印刷用のラスタデータに変換して印刷出力する。
【００３７】
ＬＣＤ表示部２１２は、キー操作部２１１と連携して使用され、操作時の各種表示を行う。
【００３８】
キー操作部２１１は、主にダイヤル番号で使用するテンキー（不図示）と、Ｓｔａｒｔ，Ｓｔｏｐキー（不図示）などで構成される。
【００３９】
ＨＤＤ２１７は、ハードディスクドライブであり、画像データや印刷データを格納したり、様々なデータの格納に使用される。
【００４０】
ＬＡＮＣ２１６は、ＬＡＮコントローラであり、回線１１０を経由してデータ送受信を行なう。送信する画像データは、ＬＡＮＣ２１６に転送される。
【００４１】
バス２１８は、ＣＰＵ２０１からの制御信号や各制御部のデータ信号が送受信されるシステムバスである。
【００４２】
画像通信装置１０１において、ＩＰ−ＦＡＸとＶｏＩＰ＿ＦＡＸが同時に受信の場合は、画像データを受信した順にプリントする。受信した画像データは、ＣＰＵ２０１の制御のもと一時的にＨＤＤ２１７に格納される。
【００４３】
図３（ａ）は、電話制御装置２３の詳細な構成を示すブロック図であり、図３（ｂ）はＳＬＩＣ８の概略構成を示すブロック図である。
【００４４】
図３（ａ）において、インターフェースコネクタ３８からＳＬＩＣ８に接続された信号線３０〜３４，４３には制御信号が送信される。ＶＣＣ４２は、動作用電源であって、ロジック用電源とＣＩ電源３５に供給する電源も含まれる。ＣＩ電源３５は、ＤＣＤＣコンバータで構成された電源であり、電話機１２へ印加する直流電圧の生成と呼出信号を生成するものであって、電圧値や周波数、波形整形が可能である。ＣＩ電源３５への入力電源は、コントローラ２から供給される。
【００４５】
図３（ｂ）にて、ＳＬＩＣ８は、ＤＴＭＦ  ＴＯＮＥＧＥＮＥＲＡＴＯＲ、ＲＩＮＧＩＮＧＧＥＮＥＲＡＴＯＲ、ＰＣＭ回路（ＡＤＣ、ＤＡＣ）、ＬＩＮＥ  ＦＥＥＤ  ＣＯＮＴＲＯＬＬＥＲ、ＬＩＮＥ  ＦＥＥＤ、ＤＣ−ＤＣＣＯＮＴＲＯＬＬＯＥＲで構成される。ＤＴＭＦ  ＴＯＮＥＧＥＮＥＲＡＴＯＲは、ＤＴＭＦ信号の生成、ＲＩＮＧＩＮＧＧＥＮＥＲＡＴＯＲ呼出し信号の生成、ＰＣＭ回路（ＡＤＣ、ＤＡＣ）は、音声信号のＡＤ、ＤＡを行う。ＬＩＮＥ  ＦＥＥＤ  ＣＯＮＴＲＯＬＬＥＲは、電話機に印加する直流電圧の生成する。ＬＩＮＥ  ＦＥＥＤは、電話機のラインの直流電流を検知し電話機の状態を制御する。ＤＣ−ＤＣＣＯＮＴＲＯＬＬＯＥＲは、ＳＬＩＣ８に接続されるＣＩ電源３５を制御し、所定の電圧、周波数の電源を生成する。
【００４６】
図４（ａ）は、電話制御装置２３の詳細な構成を示すブロック図であり、図４（ｂ）はＰＣＭ回路２０の概略構成を示すブロック図である。
【００４７】
図４（ａ）において、インターフェースコネクタ３８からＰＣＭ回路２０に接続された信号線３０〜３４，４３には制御信号が送信される。ＶＣＣ４２は動作用電源である。ＰＣＭ回路２０は、ハンドセット２１と接続し、送話受話信号のＡ／Ｄ、Ｄ／Ａ変換を行うＣＯＤＥＣ機能と音声信号のアンプ機能を備えている。
【００４８】
ハンドセット２１は、マイク５４とスピーカ５５で構成される。
【００４９】
図４（ｂ）において、スピーカＡＭＰは、ＤＡ変換したアナログ信号を増幅し、適性は出力レベルをハンドセット２１のスピーカ５５へ出力するものである。マイクＡＭＰは、ハンドセット２１のマイクの音声出力信号を増幅し、ＡＤ変換へ送るものである。
【００５０】
図５は、電話制御装置２２または電話制御装置２３が接続されたときの画像通信装置１０１の通話制御処理の流れを示すフローチャートである。
【００５１】
画像通信装置１０１では、ＣＰＵ２０１により、回線１１０を介して受信する着信信号の検知を行い、電話制御装置２２または電話制御装置２３を制御して通話処理を行う。
【００５２】
まず、ＣＰＵ２０１は、電源ＯＮがなされたか判定し（ステップＳ５０２）、電源がＯＮされると、インターフェースコネクタ３８に接続されている電話制御装置のステータスをリードし（ステップＳ５０３）、電話機の種別を判定する（ステップＳ５０４）。なお、電話制御装置２２，２３には、それぞれの電話機の種別が設定または記憶されているものとする。
【００５３】
ステップＳ５０４の判定結果から、インターフェースコネクタ３８に接続されている電話制御装置が一般電話機であると判定した場合には、ステップＳ５０５に進み、一般電話機用の設定、制御が開始される。
【００５４】
一方、ステップＳ５０４の判定結果から、インターフェースコネクタ３８に接続されている電話制御装置がハンドセットであると判定した場合には、ステップＳ５０６へ進み、ハンドセット電話用の設定、制御を開始する。ハンドセットは操作キーなどを持たないことから、画像通信装置１０１のキー操作部２１１を使用するため、手動送信を選択する（ステップＳ５０７）。
【００５５】
次に、ハンドセットがオフフックされ（ステップＳ５０８）、キー操作部２１１から相手先電話番号が入力（ダイヤル）される（ステップＳ５０９）、通話を開始する（ステップＳ５１０）。
【００５６】
電話機１２は、公衆回線網に接続可能なように作られているので、回線１１０へは直接接続はできない。そのため、一般の電話機１２と回線１１０との繋がりをＳＬＩＣ８で行う。すなわち、ＳＬＩＣ８のＬＩＮＥ  ＦＥＥＤ  ＭＯＮＩＴＯＲで回線電流を検知し、オフフック／オンフックを判定する。
【００５７】
相手先電話番号の入力には、電話機１２に内蔵しているダイヤラーからのダイヤルが必要となる。電話機１２からダイヤルすると、ＤＴＭＦ信号がモジュラーコネクタ３６を介してＳＬＩＣ８へ入力される。ＳＬＩＣ８のＤＴＭＦ  ＴＯＮＥＧＥＮＥによってダイヤル番号が検出され、その後は、コントローラ２によって回線１１０からＳＩＰ（不図示）へダイヤル番号を送信して相手先を呼び出す。相手先のリングバックトーンを、ＳＬＩＣ８を介して電話機１２へ送る。この音は、電話機１２の受話器から聞こえる。
【００５８】
また、電話機１２が着信の場合は、ＳＬＩＣ８で呼出信号を生成し、モジュラーコネクタ３６を介して電話機１２に印加して呼出音を鳴動させる。
【００５９】
なお、電話制御装置２２は電話機１２と別体で構成したが、一体で構成されていてもよい。同様に、電話制御装置２３は、ハンドセット２１と別体で構成されていても、一体で構成されていてもよい。
【００６０】
画像通信装置１０１では、ＳＬＩＣ８を含む電話制御装置２２またはＰＣＭ回路２０を含む電話制御装置２３に接続可能なインターフェースコネクタ３８を備える。そして、インターフェースコネクタ３８を介してＳＬＩＣ８に接続される電話機１２の通話動作を制御し、またインターフェースコネクタ３８を介してＰＣＭ回路２０に接続されるハンドセット２１の通話動作を制御するコントローラ２を備える。これにより、仕様の異なる電話機を接続可能としたことでユーザの選択肢が増えて自由度が増し、使い勝手を向上させることができる。
【００６１】
［第２の実施形態］
図６は、本発明の第２の実施形態に係る画像通信装置の概略構成を示すブロック図である。
【００６２】
画像通信装置１０２は、図１に示した画像通信装置１０１に対して、図１（ａ）に示した電話制御装置２２が装置本体に内蔵されている点が異なる。電話機１２は、モジュラーコネクタ３６に接続され、画像通信装置１０２から取り外し可能であるものとする。
【００６３】
また、画像通信装置１０２は、図１（ｂ）に示した電話制御装置２３がコネクタ３９を介してブリッジ回路５に接続可能に構成されている。なお、図示例では、コネクタ３９には電話制御装置２３を接続した構成であるが、電話制御装置２２を接続する構成であってもよい。
【００６４】
図７は、本発明の第２の実施形態における画像通信装置１０２の通話制御処理の流れを示すフローチャートである。
【００６５】
画像通信装置１０２では、ＣＰＵ２０１により、回線１１０を介して受信する着信信号の検知を行い、電話制御装置２２または電話制御装置２３を制御して通話処理を行う。
【００６６】
まず、ＣＰＵ２０１は、電源ＯＮＳがなされたか判定し（ステップＳ６０２）、電源がＯＮされると、ブリッジ回路５に接続されている電話機制御部のステータスをリードし（ステップＳ６０３）、電話機１２のみが接続されているか判定する。インターフェースコネクタ３８に何も接続されていない場合には、電話機１２のみが接続されていると判定して、ステップＳ６０５へ進む。一方、インターフェースコネクタ３８に電話制御装置２３を介してハンドセット２１が接続されていると判定した場合には、ステップＳ６０３へ進む。なお、電話制御装置２２，２３には、それぞれの電話機の種別が設定または記憶されているものとする。
【００６７】
ステップＳ６０３では、ＣＰＵ２０１は電話機の動作判定を行う。電話機１２が動作していると判定した場合にはステップＳ６０５へ進み、一般電話機用の設定、制御が開始される。一方、ハンドセット２１が動作していると判定した場合には、ステップＳ６０６へ進み、ハンドセット電話用の設定、制御が開始される。ハンドセットは操作キーなどを持たないことから、画像通信装置１０１のキー操作部２１１を使用するため、手動送信を選択する（ステップＳ６０７）。
【００６８】
次に、ハンドセットがオフフックされ（ステップＳ６０８）、キー操作部２１１から相手先電話番号が入力（ダイヤル）される（ステップＳ６０９）、通話を開始する（ステップＳ６１０）。
【００６９】
画像通信装置１０２では、ＳＬＩＣ８に接続された電話機１２と、ＰＣＭ回路２０に接続可能なインターフェースコネクタ３８を備える。そして、ＳＬＩＣ８に接続される電話機１２の通話動作を制御し、またインターフェースコネクタ３８を介してＰＣＭ回路２０に接続されたハンドセット２１の通話動作を制御するコントローラ２を備える。これにより、一般の電話機とハンドセットの同時接続を可能にすることで、ユーザの使い勝手を向上させることができる。
【００７０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７１】
１０１  画像通信装置
１１０  回線
２  コントローラ
５  ブリッジ回路
８  ＳＬＩＣ（電話制御回路）
１２  電話機
２０  ＰＣＭ回路
２１  ハンドセット
２２，２３  電話制御装置
３８  インターフェースコネクタ
【図１】
2015207980.tif 000003
【図２】
2015207980.tif 000004
【図３】
2015207980.tif 000005
【図４】
2015207980.tif 000006
【図５】
2015207980.tif 000007
【図６】
2015207980.tif 000008
【図７】
2015207980.tif 000009